(57)【要約】【課題】  片手鍋の持ち上げ力の軽減ができ、取っ手の持ち易い構造を提供する【手段】  鍋５の外周面にガスの炎の熱を遮断できる幅を持った加熱防止用遮蔽板３を取付け、合成樹脂の取っ手１と一体成形された取っ手取付金具２の一端部を接合し、取っ手取付金具２の湾曲部が鍋５の外周上の位置になる取付け構造とした。さらに、取っ手１の前端部を下方に湾曲させ持ち手の位置決めが可能な形状で持ち易くして、取っ手を短く出来る構造とした。【選択図】図１
2008119438.tif 000002
【特許請求の範囲】
【請求項１】
鍋の外周面にガスの炎の熱を遮断できる幅を持ったへの字状に形成された金属製で板状の遮蔽板を固定し、前記鍋の外周面から外側方向に水平に伸びた前記遮蔽版の他端部に、合成樹脂の取っ手と一体成形された金属製で棒状の湾曲状に成形された取っ手取付け金具の一端部を接合し、前記取っ手取付け金具の湾曲部が前記鍋の外周上方の位置になる取付により、取っ手を鍋に近づけた取っ手取付構造を特徴とする片手鍋。
【請求項２】
取っ手の先端部を下方に湾曲させ、持ち手の位置決めが可能となる取っ手形状を特徴とする請求項１に記載の片手鍋。
【発明の詳細な説明】
【技術分野】
【０００１】  本発明は、調理時に使用する片手鍋の取っ手取付け構造に関する。
【背景技術】
【０００２】  片手鍋に関する先行技術には次の考案があった。
（１）実公昭４６−１３２３９。蓋体の周縁下部にパッキングを付着すると共に安全弁を内蔵した摘みを蓋体に取り付けこの蓋体を回転自在に取り付けた把手で本体に締着することによって圧力鍋として用いることができるようにしたものである。
（２）実全昭６１−２０１６４４ケットル兼用片手鍋。注口を有する容器に設けた受金具に把手柄の一端を回動可能に取り付けると共に、該受金具と把手柄との間に把手柄が容器の側方に突出し、或いは容器の上方に沿うように選択的に切換えと固定ができるようにしたもの。
（３）実開平５−４４０１３片手鍋。蓋体上に把手部を回動して折りたたんだ状態で、把手部を把持して持ち運ぶことができ、さらに把手部により蓋体を押圧しているので圧力鍋として利用できる片手鍋である。
以上の考案において、片手鍋として調理で使用する場合は従来の片手鍋の使用方法と同一であり、調理時の具を入れた際の持ち手にかかる負荷の軽減を考慮した取っ手構造の片手鍋はみつからなかった。
【発明の開示】
【発明が解決しようとする課題】
【０００３】  従来の片手鍋は取っ手が鍋本体の直径とほぼ同じ長さであり持ち手部が鍋本体の重心より大幅に離れており、鍋を持ち上げる際、持ち手の負荷が大となる。又、取っ手が長い為調理時に取っ手が手前になった場合衣服に引っ掛け不安全になり易かった。【０００４】  そこで、本発明は上記問題点に鑑み、取っ手の取付け方法と形状を改善し、持ち手にかかる負荷を軽減し、取っ手が身体に接触し難い構造の片手鍋を提供する。
【発明を解決するための手段】
【０００５】  取っ手１を鍋３の重心に接近させる為、取っ手１の前端部を下方に湾曲させ、持ち手の指が湾曲部に当って、持ち手の位置決めを可能とし、取っ手１を掌サイズで握り易い形状にすることにより取っ手１の長さを短縮可能とする。さらに、金属棒を湾曲させてＵターンした形に取付けが可能な形状に成形された取っ手取付金具２を取っ手１と合成樹脂で一体成形する。
【０００６】  ガスの炎の熱を遮断するへの字形上に成形された金属製の遮蔽版３を鍋５の外周に密着させて固定し、遮蔽版３の水平に伸びた他端部に前記の合成樹脂の取っ手１と一体成形された取っ手取付金具２の湾曲部が鍋５の外周上方の位置になるよう接合し、取っ手１を鍋５の重心に接近させた構造とする。
【発明の効果】
【０００７】  ガスコンロの炎の熱を鍋５に密着させて取付けた遮蔽板で防ぎ、取っ手と一体成形された取っ手取付金具２の湾曲形状部を鍋２の外周上方の位置になるようにして遮蔽板に接合することにより、持ち手部を従来の片手鍋に対し、鍋５の重心に接近させることができた。さらに、取っ手１の前端部を下方に湾曲させた形状にしたことにより、湾曲部が持ち手の位置決めとなり持ち易くなって、取っ手の長さが短縮可能となった。従って従来の片手鍋の使い易い機能を損なうことなく、調理時に具を入れた状態において、重心に近い所を持つことができ、持ち手にかかる負荷が軽減される。さらに、取っ手が手前向きになった場合においても身体に接触し難くなり、安全性を増すことができ、課題として取り上げた問題点は解決される。
【発明を実施するための最良の形態】
【０００８】  以下、本考案を図１から図５に基づいて説明する。
金属製の片手鍋の本体５を基本にして、図１の通り、各部品毎に組み立て方法を説明する。遮蔽板３は、金属板を楕円形に加工し、そのほぼ中央部を内角が９０度〜１００度になるようへの字状に曲げながら、その一方面の外面が鍋５の外周面に密着するように成形し、鍋５に密着させて、鍋５に明けられた穴に鍋５の内側より鋲４を通し、遮蔽板側でカシメて固定する。【０００９】  取っ手取付金具２は、金属棒の中心部を基点に、金属棒が二本平行になるよう、Ｕ字形状に曲げ、Ｕ字形状部を図１と図３及び図５の断面形状にするために、圧力を加えて円形の上下の頂点を平坦に成形する。さらに、二本平行になった金属棒の中央部を基点に二本同時に図１に示す湾曲形状に成形する。【００１０】  取っ手１は前端部が下方に湾曲した形状にして、取っ手取付金具２の湾曲した中央部と、取っ手１の前端部が下方に湾曲した外周面の中心から下部の隙間が平行で１〜２ｍｍを保った形で取っ手取付金具２のＵ字形状に曲げて成形した部位の他端部が取っ手１の中央部、図４Ｂ−Ｂ断面図のようにセットできる取っ手１の形状の金型で、合成樹脂（ポリプロピレン等）を注型して、取っ手１と取っ手取付金具２を一体成形する。【００１１】  前記鍋５の外周面に密着して取付けられて水平に伸びた遮蔽板の他端部に、取っ手１と一体成形された取っ手取付金具２の湾曲部の先端を鍋５の外周面の上方の位置にして、取っ手取付金具２のＵ字形状に成形された部分を抵抗溶接で接合する。【００１２】  取っ手取付金具２の湾曲部は鍋５の外周面上方であるが鍋５に蓋６をすることができる範囲で鍋５の内週側にはみ出すことも可能であり、取っ手１をさらに鍋５の重心に近づけることが出来る。又、取っ手１は水平を基準とするが鍋３の形状により、取っ手取付金具の湾曲部を基点に若干上下させることも可能である。【００１３】  実施例、本発明品の試作品での使用時の実験結果を示す。
直径１８０ｍｍ深さ８５ｍｍの鍋５に２０００ｃｃの水を入れ蓋が無い状態でガスコンロの中心から鍋５の中心を取っ手１と反対方向に２０ｍｍ移動し、ガスの炎の熱が遮蔽板に当り易くした状態で１０分間お湯を沸騰させた後、取っ手１の湾曲部の先端部下方の位置で、温度を計測した結果、最高温度で４６℃であった。同位置で遮蔽板がない場合は８７℃となった。さらに、取っ手１の前端部の握り手の位置の表面温度は４３℃であった。従って熱による影響の少ないことが確認でき、遮蔽板の効果により取っ手を鍋５に接近させることが可能となり、取っ手の形状改善と合わせて持ち手部分を通常市販されている片手鍋に対し約４１ｍｍ鍋３の重心部に接近させることが可能となった。鍋５の直径が１８０ｍｍの場合持ち手にかかる負荷は約２１％軽減できる
さらに、本試作品と同一直径の片手鍋の市販品の取っ手の長さを１０種類調査、計測した結果、片手鍋の外周取り付け面から１７２ｍｍ〜１９８ｍｍがあり、平均１７８ｍｍであった。本発明の試作品は１１７ｍｍであり、市販品に対し、６１ｍｍ短くなり、約３４％の短縮となった。これにより、調理時に取っ手が手前向きでも身体に接触し難くなり安全性が増した。従って、取っ手を置く位置に注意する必要がなくなった。
【図面の簡単な説明】
【図１】本発明による片手鍋の正面図
【図２】本発明による片手鍋の右側面図
【図３】本発明による片手鍋の平面図
【図４】本発明による片手鍋のＡ−Ａ断面図
【図５】本発明による片手鍋のＢ−Ｂ断面図
【符号の説明】
１、取っ手
２、取っ手取付金具
３、遮蔽板
４、鋲
５、鍋
６、蓋
【図１】
2008119438.tif 000003
【図２】
2008119438.tif 000004
【図３】
2008119438.tif 000005
【図４】
2008119438.tif 000006
【図５】
2008119438.tif 000007